(57)【要約】【課題】多数の植毛穴が付設されているブラシ柄に、形状又は数の異なる少なくとも２種類のブリッスル束を入り交じった状態で植毛してブラシを製造する場合に、これまでは第１の植毛機を用いて第１のブリッスル束を植毛しておき、次いで第２の植毛機を用いて第２のブリッスル束を植毛することとし、その際、渡り毛を発生させないために第２の植毛機には毛よけ板とともに唯一本の毛分け具を付設することとして来た。そのために能率よく植毛することができなかったので、能率よく植毛できるように改良する。【解決手段】第２の植毛機に少なくとも２本の毛分け具を付設しておき、各毛分け具を第２のブリッスル束を植毛すべき植毛穴の各列に挿入し、それらの毛分け具を特定の方向に特定の順序に移動させる。【選択図】図５
2008104552.tif 000002
【特許請求の範囲】
【請求項１】
毛よけ板が付設されている植毛機を使用して、多数の植毛穴が穿設されているブラシ柄に、形状又は数の異なる少なくとも２種類のブリッスル束を入り交じった状態で植毛してブラシを製造する方法において、初めに第１の植毛機により従来法に従って第１のブリッスル束を植毛し、次いで第２の植毛機により第２のブリッスル束を少なくとも２列にわたって植毛するに際し、植毛穴の各列に沿ってそれぞれ１本の毛分け具を挿入し、植毛機に付設されている毛よけ板がブリッスルを倒す方向を基準として、上記方向と反対方向から見て最初の植毛穴に沿う第１の毛分け具を、まず上記方向と反対がわに移動させてブリッスル群を傾斜させ、毛よけ板を作動させてブリッスル群を倒し、こうして第１の毛分け具に沿ったブリッスル群の間を広げて第２のブリッスル束を植毛し、その後第２の毛分け具を第１の毛分け具の移動した方向に移動させ、その後同様に第２の毛分け具に沿った植毛穴に第２のブリッスル束を植毛することを特徴とする、ブラシの製造方法。
【請求項２】
第１の毛分け具に沿った植毛穴に植毛してのち、第１の毛分け具をそのままにして第２の毛分け具を移動させる請求項１に記載の方法。
【発明の詳細な説明】
【技術分野】
【０００１】
この発明は、ブラシの製造方法に関するものである。とくに、この発明は異なるブラシ毛の束が入り交じって配列された特殊性状のブラシを能率よく製造する方法に関するものである。
【背景技術】
【０００２】
一般に、ブラシはハンドル又はブラシ柄と呼ばれる柄の表面に、撓みにくい真直ぐな毛の束を垂直に固定して作られている。古くは毛として獣の毛が用いられたが、最近はポリエステルやポリアミドのような合成樹脂のモノフィラメントが用いられている。この毛は、一般にブリッスルと呼ばれている。
【０００３】
ブラシ柄は、ブリッスル束を固定するために、植毛穴と呼ばれる小孔が多数穿設されている。植毛穴にブリッスル束を固定する作業は一般に植毛と呼ばれている。植毛は植毛機を使って行われる。
【０００４】
植毛機は、図１に符号４で示したような打ち込み具を備えている。打ち込み具４は、細いチューブ状を呈し、その中には長手方向に貫通する押し込み針６が設けられており、先端にはノズル５が付設されている。ノズル５の近くには横方向に貫通する孔が穿設されており、その孔内にブリッスル束３が挿入されるようになっている。
【０００５】
打ち込み具４は次のようにして植毛を行う。すなわち、打ち込み具４は、まず先端にあるノズル５を植毛穴２に向けて移動し、図２に示したように、押し込み針６を下降させ、針６の先端に楔７を伴なってブリッスル束３を２つ折りにする。次いで、ノズル５を植毛穴２の周りに当接し、折目を植毛穴２内に押し込み、それと同時に楔７を打ち込んでブリッスル束３を植毛穴２内に固定する。その後、打ち込み具４はブラシ柄１から離れ、次の植毛穴２に向かって移動し植毛を行う。こうして植毛機は植毛穴に次々と植毛して行く。
【０００６】
ブラシ柄１には植毛穴２が複数の列をなして穿設されている。植毛機はこのような列をなして並ぶ植毛穴に上述のようにして１つの列の植毛穴に植毛し、１つの列の植毛穴に植毛し終ると、次の列の植毛穴に植毛する。こうして隣接する列の植毛穴に植毛して行く。このとき渡り毛を生じないようにすることが必要とされる。渡り毛とは隣接する２個の植毛穴に跨って植毛されているブリッスルのことである。渡り毛を生じたブラシは販売できる商品とならないので、渡り毛の発生は絶対に防止しなければならない。渡り毛はあとで植毛するブリッスル束が、既に植毛されたブリッスル束を巻き込んで植毛されるために生じるものである。
【０００７】
渡り毛の発生を防止するために、植毛機には毛よけ板が付設されている。一般に植毛機は、図３に示したように、ノズル５を含む植毛機構と並んで、アーム８に付設された毛よけ板９を備えている。図４に示したように、ノズル５により植毛穴２に植毛しようとするとき、毛よけ板９は、既に植毛されたブリッスル束３の先端部を覆うとともに、その先端部を植毛穴２から遠ざける方向に倒して、ノズル５とブリッスル束３との間を引き離し、新たに植毛するブリッスルに束が既に植毛されたブリッスル束を巻き込まないようにしている。こうして、植毛機は渡り毛の発生を防止している。
【０００８】
植毛機は、堆積されたブリッスルの山から一定本数のブリッスルを取り出して束とし、この束を打ち込み具４によって植毛して行く。従って、同形のブリッスルを同数だけ集めた束を次々と植毛して行くときは、同じ植毛機を使用して植毛することができる。ところが、ブリッスルの形が異なり、又はブリッスルの形が同じでも異なる数からなるブリッスルの束を植毛するときは、植毛機を変更しなければならない。１つのブラシ柄に同じ植毛機を使用して植毛を行うときは、能率よく植毛してブラシを作ることができるが、植毛機を変えて植毛しなければならないとき、植毛機を変えるのに手間取り、能率よく植毛することができない。
【０００９】
ところが、最近は植毛機を変えて植毛しなければならないようなブラシが要望されるに至った。すなわち、例えば１つのブラシに穴径の異なる植毛穴を設けて、太さや本数の異なるブリッスル束を植毛したブラシや、１つのブラシに同じ穴径の植毛穴を設けてはいるが、植毛穴の位置によって長さの異なるブリッスル束を植毛したブラシが要望されるに至った。このようなブラシは、皮肌に強くあたる部分と、皮肌に柔かくあたる部分とを含んでおり、これらの部分を適当に使い分けることによって、皮肌に微妙な感覚を与えることができるので重宝とされる。
【００１０】
その一例を挙げると、図５に示したような植毛面を持った歯ブラシである。図５に示した植毛面では、中の白い植毛穴Ｐが１．６ｍｍの直径を持つものとされ、中の黒い植毛穴Ｑが１．０ｍｍの直径を持つものとされ、このような植毛穴ＰとＱとがＡ〜Ｅの５列となって配置されている。そのうちのＡ、Ｃ及びＥの３列では中の白い植毛穴Ｐに、太さ０．２ｍｍ、高さ１０ｍｍのブリッスルが１８本集まって作られたブリッスル束が植毛されており、残るＢ及びＤの２列では、中白の植毛穴Ｐに上記３列と同じブリッスル束が植毛され、中黒の植毛穴Ｑには直径０．１８ｍｍ、長さ１２ｍｍのブリッスルが８本集まって作られたブリッスル束が植毛されて、歯ブラシが作られている。
【００１１】
このようなブリッスル束を植毛するには、列ごとに植毛機を変えて植毛することが考えられる。ところが、植毛機を変えると能率よく植毛できないから、この考えに従ったのでは安価に歯ブラシを提供することができない。それよりも能率がよいのは、まずすべての中白の植毛穴Ｐに長さ１０ｍｍのブリッスル束を植毛し、あとですべての中黒の植毛穴Ｑに長さ１２ｍｍのブリッスルの束を植毛して行く方法である。
【００１２】
ところが、このように植毛しようとすると、中黒の植毛穴Ｑに植毛するとき、両側には植毛穴Ｐに植毛されたブリッスル群が近接して存在するため、渡り毛を生じ易い。
【００１３】
特開２００２−２６２９４３号公報は、このような場合、渡り毛を生じさせないで植毛する方法を提案している。この提案によれば、既に植毛された両側のブリッスル群の間に毛分け具を挿入し、植毛機に付設されている毛よけ板がブリッスル群を倒す方向と反対方向に毛分け具を移動させて、ブリッスル群の間を広げ、この状態で植毛することとしている。
【００１４】
特開２００２−２６２９４３号公報が提案する方法は、唯１本の毛分け具を使用する場合に限っている。なぜならば、植毛機には、前述のように、通常毛よけ板が付設されているので、毛分け具は隣接するブリッスル群のうちの一方を毛よけ板と反対方向に傾斜させれば足りるからである。ところが、上記公報は図９を掲げ、２本の毛分け具を用いて植毛することができると記載している。しかし、このように１列の植毛穴に沿って２本の毛分け具を挿入したのでは、そのうちの１本は毛よけ板の作動を妨げることになり、却って植毛を妨げることとなる。
【特許文献１】特開２００２−２６２９４３号公報
【００１５】
上記提案とは異なるが、ブリッスル束の長さだけが異なるブラシは、植毛したあとでブリッスルの先を切断することによって作ることができる。そのための装置がヨーロッパ特許第００７８５６９Ａ２公報に記載されている。しかし、この装置によってはブリッスル束の形や数の異なるブラシを製造することができない。
【特許文献２】ヨーロッパ特許第００７８５６９Ａ２公報
【発明の開示】
【発明が解決しようとする課題】
【００１６】
１本の毛分け具を使用するという特開２００２−２６２９４３号公報の教示に従ったのでは、図５に示したような歯ブラシは、これを能率よく製造することができない。なぜならば、図５に示した歯ブラシを作るには、毛分け具をＢ列のところから、Ｄ列のところへ移動させることが必要だからである。ところが、毛分け具の移動は煩瑣であって、移動には時間がかかるので、上記公報の教示によっては能率よく植毛することができない。そこで、図５に示したような歯ブラシをさらに能率よく製造する方法を案出する必要が生じた。
【００１７】
上記のように、能率のよい製造方法を案出する必要は図５の場合に限らない。一般に、多数の植毛穴が穿設されているブラシ柄に、数又は形状の異なる少なくとも２種類のブリッスル束を少なくとも２列にわたって植毛する場合には、同じように能率のよいブラシの製造方法を案出することが必要とされる。この発明はこのような必要に応じようとして生れたものである。
【課題を解決するための手段】
【００１８】
この発明は、上記の課題を解決するために、初めに第１の植毛機を用いて第１のブリッスル束を植毛しておき、次いで第２の植毛機を用いて第２のブリッスル束を植毛することを前提とする。しかも、この発明は第２の植毛機により植毛する際には、第２のブリッスル束を植毛すべき植毛穴が少なくとも２列にわたって存在し、その２列が植毛された第１のブリッスル束の群に隣接して存在していることを前提としている。
【００１９】
この発明は、第２のブリッスル束を植毛すべき植毛穴の各列に沿ってそれぞれ１本の毛分け具を挿入し、それらの毛分け具を特定の方向に特定の順序に移動させることによって渡り毛を発生させることなく、第２のブリッスル束を能率よく植毛する方法を提供するものである。
【００２０】
第２の植毛機による植毛に際しては、植毛機に付設された毛よけ板が既に植毛されたブリッスル群を倒す方向を基準として、その方向と反対寄りに位置する第１の毛分け具をまず上記方向と反対がわに移動させてブリッスル群を傾斜させ、植毛機に付設されている毛よけ板を作動させてブリッスル群を倒し、これによってブリッスル群の間を広げ、この状態で第１の毛分け具に沿った植毛穴に第２のブリッスル束を植毛することを骨子としている。こうして、第１の毛分け具に沿った植毛穴に第２のブリッスル束を植毛したのち、第１の毛分け具はそのままにして、同様に第２の毛分け具を第１の毛分け具と同じ方向に移動させてブリッスル群を傾斜させるとともに、植毛機に付設された毛よけ板によってブリッスル群を倒し、第２の毛分け具に沿った植毛穴に第２のブリッスル束を植毛することとする。必要ならば、第３の毛分け具について同様な操作を繰り返してさらに第２のブリッスル束を植毛して行く方法である。
【００２１】
この発明は、毛よけ板が付設されている植毛機を使用して、多数の植毛穴が穿設されているブラシ柄に、形状又は数の異なる少なくとも２種類のブリッスル束を入り交じった状態で植毛してブラシを製造する方法において、初めに第１の植毛機により従来法に従って第１のブリッスル束を植毛し、次いで第２の植毛機により第２のブリッスル束を少なくとも２列にわたって植毛するに際し、植毛穴の各列に沿ってそれぞれ１本の毛分け具を挿入し、植毛機に付設されている毛よけ板がブリッスルを倒す方向を基準として、上記方向と反対方向から見て最初の植毛穴に沿う第１の毛分け具を、まず上記方向と反対がわに移動させてブリッスル群を傾斜させ、毛よけ板を作動させてブリッスル群を倒し、こうして第１の毛分け具に沿った植毛穴の周囲のブリッスル群の間を広げて植毛穴に第２のブリッスル束を植毛し、その後第２の毛分け具を第１の毛分け具の移動した方向に移動させ、その後同様に第２の毛分け具に沿った植毛穴に第２のブリッスル束を植毛することを特徴とする、ブラシの製造方法を提供するものである。
【発明の効果】
【００２２】
この発明では、多数の植毛穴が穿設されているブラシ柄に、形状又は数の異なる少なくとも２種類のブリッスル束が入り交じって少なくとも２列にわたって植毛されるブラシを製造するにあたり、毛よけ板が付設されている第１の植毛機を使用して、初めに従来法に従って第１のブリッスル束をすべて植毛し、次いで第２の植毛機を使用して第２のブリッスル束を植毛するので、植毛機の交換が少なくて済み、従って能率よくブラシを作ることができる。
【００２３】
また第２のブリッスル束を植毛するにあたり、第２のブリッスル束を植毛すべき植毛穴の各列にそれぞれ１本の毛分け具を挿入し、毛よけ板がブリッスル群を倒す方向を基準とし、その方向と反対がわに位置する第１の毛分け具をまず上記方向と反対がわに移動させて、ブリッスル群を傾斜させることとしたので、上記ブリッスル群と向き合うブリッスル群は植毛機に付設された毛よけ板によって倒された状態にすることができ、従ってブリッスル群の間を容易に広げて第２のブリッスル束を植毛することができ、これによって渡り毛の発生を防ぐことができる。
【００２４】
その後、第２の毛分け具を第１の毛分け具が移動した方向に移動させるので、第２の毛分け具によって分けられたブリッスル群は、第１の毛分け具がわへ傾斜し、これと向き合うブリッスル群は植毛機に付設された毛よけ板によって倒された状態にすることができ、こうしてブリッスル群の間を広げて、第２の毛分け具に沿った植毛穴に第２のブリッスル束を植毛することができ、これによって渡り毛の発生を防ぐことができる。
【００２５】
この場合、２本の毛分け具を用いるので、各毛分け具は毛よけ板がブリッスル群を倒す方向と反対方向へ僅かに移動させるだけでブリッスル群を傾斜させることができ、従って毛分け具を１つの列から他の列へ移動させるのに比べると、遥かに能率よく植毛することができる。
【００２６】
この発明はこのような効果をもたらすものである。
【発明を実施するための最良の形態】
【００２７】
この発明では多数の植毛穴が穿設されているブラシ柄に、形状又は数の異なる少なくとも２種類のブリッスル束を少なくとも２列にわたって入り交じった状態に植毛してブラシとする場合を前提としている。その中にはブラシ柄に同一の大きさの植毛穴が穿設されていて、それら植毛穴に長さ、太さ等の形状の異なったブリッスル束を植毛する場合と、ブラシ柄には大きさの異なった植毛穴が穿設されていて、そこに同じ形状のブリッスルを数の異なるブリッスル束として植毛する場合など、色々な場合が含まれている。
【００２８】
この発明方法により製造して効果のあるブラシは、歯ブラシを例にとると、図５に示したようなブリッスル束の配列のほか、図６の（ａ）、（ｂ）及び（ｃ）に示したようなブリッスル束の配列のものがある。図６の（ａ）では、中白の植毛穴Ｒは直径が１．４ｍｍの大きさとされ、中黒の植毛穴Ｓは直径が１．８ｍｍの植毛穴とされ、それらの植毛穴に異なる太さのブリッスルが本数の異なる束として植毛されている。また、図６の（ｂ）では、中白の植毛穴も中黒の植毛穴も、何れも直径が１．６ｍｍの大きさとされているが、中白の植毛穴には高さが１０ｍｍのブリッスル束が植毛され、中黒の植毛穴には高さが１１ｍｍのブリッスル束が植毛されている。また、図６の（ｃ）では、植毛穴の大きさはすべて直径が１．６ｍｍの大きさとされているが、中白の植毛穴には高さが１０ｍｍのブリッスル束が植毛され、中黒の植毛穴には高さが１１ｍｍのブリッスル束が植毛されている。
【００２９】
この発明は、既に植毛された第１のブリッスル束の間に、植毛すべき第２のブリッスル束が少なくとも２列にわたって入り交じって存在した場合に、渡り毛の発生を防ぐために各列に１本ずつ毛分け具を挿入することを必要としている。その各毛分け具は、ブリッスルの打ち込み具から独立して別々に移動できるものとされている。毛分け具は板状であってもよいが、帯状又は棒状であることが好ましい。
【００３０】
毛分け具は、既に植毛されたブリッスル群が隣接している間にあって、第２のブリッスル束を植毛すべき植毛穴の列に沿って挿入される。挿入位置は、第２のブリッスル束を植毛すべき植毛穴の真上であることが好ましいが、第２のブリッスル束を植毛すべき植毛穴を避けたところであってもよい。挿入された毛分け具は植毛面に密接していなくて植毛面から僅かに離れており、その離れた距離は既に植毛されているブリッスル群の高さの１０分の１から２分の１までの範囲内とすることが好ましい。
【００３１】
毛分け具は植毛すべき植毛穴の列に沿って一直線状に延びていることが好ましいが、植毛穴の列が湾曲しているときは、湾曲に応じて湾曲していてもよい。また、毛分け具は植毛穴の列が湾曲していても、一直線状に延びていてもよい。
【００３２】
植毛機では、図７に示したように、台１０が固定されている。この台１０に向かってブラシ柄は送られて来て台１０に嵌まり込み、固定具１１によって台１０に固定される。こうして固定された状態でブラシ柄は植毛される。植毛が終ると、固定具１１が外され、植毛されたブラシは別のところへ送られる。従って、第１の毛分け具１２と第２の毛分け具１３とは、台１０の付近に固定されたままで、主として矢印Ｘ及びＹ方向に僅かな距離だけ別々に移動可能とされているだけで足りる。
【００３３】
図７は、第１の植毛機によりすべての中白の植毛穴Ｐに第１のブリッスル束を植毛し終えたブラシ柄１が、第２の植毛機に移されたときの状態を示している。ブラシ柄１はＡ、Ｃ及びＥの３列に並ぶ中白の植毛穴にすべて第１のブリッスル束が植毛され、Ｂ及びＤの２列に並ぶ中黒の植毛穴に、これから第２のブリッスル束が植毛されようとしている。第２の植毛機では、図示していない毛よけ板が矢印Ｘの方向に第１のブリッスル束を倒すように作動する。
【００３４】
第２の植毛機では矢印Ｘを基準として、まず矢印Ｘと反対方向に位置する第１の毛分け具１２を矢印Ｙの方向に移動させて、Ｅの列に並ぶブリッスル群を矢印Ｙの方向に傾斜させる。次いで、第２の植毛機でＤの列に並ぶ中黒の植毛穴に第２のブリッスル束を植毛する。このとき、第２の植毛機に付設された毛よけ板（図示していない）が、Ｃ列の中白の丸で示した位置にある第１ブリッスル群を矢印Ｘの方向に倒すので、Ｃ列のブリッスル群とＥ列のブリッスル群との間が開き、従ってＤ列に植毛される第２のブリッスル束は第１ブリッスル群を巻き込んで植毛されることがない。こうして第１の毛分け具１２の使用により、渡り毛を発生させることなくＤ列の植毛穴に第２のブリッスル束を植毛することができる。
【００３５】
その後、第２の毛分け具の使用により、同様に渡り毛を発生させることなく、Ｂ列の植毛穴に第２のブリッスル束を植毛することができる。そのときの操作は次のとおりである。第１の毛分け具１２はそのままにして、云いかえるとＥ列のブリッスル群を傾斜させたままの状態にして、第２の毛分け具１３を矢印Ｙの方向、即ち第１の毛分け具１２の移動した方向へ移動させてＣ列のブリッスル群を矢印Ｙの方向へ傾斜させる。この状態でＢ列の植毛穴に第２のブリッスル束を植毛すると、植毛機に付設された毛よけ板がＡ列のブリッスル群を矢印Ｘの方向へ倒して植毛するのでＣ列のブリッスル群とＡ列のブリッスル群との間の間隔が広げられており、従って渡り毛を生ずることなくＢ列の植毛穴に第２のブリッスル束を植毛することができる。
【００３６】
こうして渡り毛のないブラシを製造することができる。
【００３７】
次に実施例を挙げて、この発明方法とそれによって得られたブラシの利点を説明する。
【実施例１】
【００３８】
この実施例では、ブリッスル束が図５に示されたように配置された歯ブラシを作った。図５のブラシ柄は、中白の植毛穴が１．６ｍｍ、中黒の植毛穴が１．０ｍｍの直径を持つものとされた。
【００３９】
第１のブリッスル束としては、太さ０．２ｍｍ、長さ１０ｍｍのブリッスルを１８本集めたものを用い、第２のブリッスル束としては、太さ０．１８ｍｍ、長さ１２ｍｍのブリッスルを８本集めたものを用いた。第１のブリッスル束は、図５において中白の丸で示した位置にある植毛穴に植毛し、第２のブリッスル束は、中黒の丸で示した位置にある植毛穴に植毛しようとした。
【００４０】
このような歯ブラシを作るのに、初めＢ列とＤ列とにある中黒の植毛穴には植毛しないで、その余のＡ〜Ｅ列にある中白の植毛穴すべてに、第１の植毛機を用いて第１のブリッスル束を植毛した。この植毛は従来の方法により容易に行うことができた。
【００４１】
こうして得られたブラシを次に第２の植毛機に送り、図７に示したように、Ｄ列の植毛穴のところに第１の毛分け具１２を挿入し、Ｂ列の植毛穴のところに第２の毛分け具１３を挿入した。第１の毛分け具１２を矢印Ｙ方向に移動させて、Ｅ列のブリッスル群を矢印Ｙの方向へ傾斜させ、Ｃ列のブリッスル群を植毛機に付設された毛よけ板によって矢印Ｘの方向へ倒して、Ｄ列の植毛穴に第２のブリッスル束を植毛した。
【００４２】
その後、第１の毛分け具１２をそのままにして、第２の毛分け具１３を矢印Ｙ方向に移動させてＣ列のブリッスル群を矢印Ｙ方向に傾斜させ、また植毛機に付設された毛よけ板によりＡ列のブリッスル群を矢印Ｘ方向に倒して、Ａ列のブリッスル群とＣ列のブリッスル群との間の間隔を広げ、この状態でＢ列の植毛穴に第２のブリッスル束を植毛した。
【００４３】
こうして植毛することにより、渡り毛を全く発生させないで、異なるブリッスル束が入り交じっている歯ブラシを作ることができた。こうして得られた歯ブラシは、中黒の位置にあるブリッスル群が中白の位置にあるブリッスル群よりも僅かに突出しているので、突出したブリッスル群が歯と歯の間の隙間や、歯と歯茎まで届き、口腔内の汚れを効率よく落とすことができる、という利点を持っている。
【実施例２】
【００４４】
この実施例では、図６（ａ）に示したように、ブリッスル束が配置された歯ブラシを作った。図６（ａ）では中白の植毛穴はすべて直径が１．４ｍｍの大きさとされ、中黒の植毛穴はすべて直径が１．８ｍｍの大きさとされた。
【００４５】
第１のブリッスル束としては、太さ０．１８ｍｍ、長さ１０ｍｍのブリッスルを１８本集めたものを用い、第２のブリッスル束としては、太さ０．２３ｍｍ、長さ１０ｍｍのブリッスルを１９本集めたものを用いた。
【００４６】
まず初めに第１の植毛機を使用して図６（ａ）の中白の植毛穴すべてに第１のブリッスル束を植毛した。この植毛は従来法に従って容易に行うことができた。
【００４７】
こうして得られたブラシを次に第２の植毛機に移した。第２の植毛機では図８（ａ）に示したように、右から２列目と３列目の植毛穴の間に第１の毛分け具１２を挿入し、３列目と４列目の植毛穴の間に第２の毛分け具１３を挿入した。第１の毛分け具１２を矢印Ｙ方向に移動させて、１列目と２列目の第１ブリッスル群を矢印Ｙ方向に傾斜させ、３列目の第１ブリッスル群を植毛機の毛よけ板により矢印Ｘ方向に倒して、２列目にある中黒の植毛穴に第２のブリッスル束を植毛した。
【００４８】
その後、第１の毛分け具１２をそのままにして第２の毛分け具１３を矢印Ｙ方向に移動させ、１〜３列目のブリッスル群をすべて矢印Ｙ方向に傾斜させ、毛よけ板によって４列目と５列目のブリッスル群を矢印Ｘ方向に倒して、３列目と４列目の中黒の植毛穴に第２のブリッスル束を植毛した。
【００４９】
こうして渡り毛を発生させることなく、歯ブラシを製造することができた。こうして得られた歯ブラシは歯ブラシの先端にある大きい植毛穴に太いブリッスルが植毛されているので奥の歯を強く刷掃することができ、従って奥歯を十分に磨くことができる。また、中央部の大きい植毛穴の太いブリッスルと、周り及び中央部の小さい植毛穴の細いブリッスルとが交互に歯茎に当るのでマッサージ効果が向上する。この歯ブラシはこのような利点を持っている。
【実施例３】
【００５０】
この実施例では、図６（ｂ）に示したように、ブリッスル束が配置された歯ブラシを作った。図６（ｂ）では、植毛穴がすべて１．６ｍｍの直径を持った同じ大きさのものとされていた。そのうちの中白の植毛穴には太さ０．２ｍｍ、長さ１０ｍｍのブリッスルが１８本集まった第１のブリッスル束が植毛され、中黒の植毛穴には太さ０．２ｍｍ、長さ１１ｍｍのブリッスルが１８本集まった第２のブリッスル束が植毛された。
【００５１】
このような歯ブラシを作るのに、初め第１の植毛機を用いて従来法に従い中白の植毛穴にすべて第１のブリッスル束を植毛し、次いで、これを第２の植毛機に送り、中黒の植毛穴に第２のブリッスル束を植毛した。
【００５２】
第２の植毛機では、図８（ｂ）に示したように、右から２列目の植毛穴の真上に第１の毛分け具１２を挿入し、右から３列目の植毛穴の真上に第２の毛分け具１３を挿入し、右から４列目の植毛穴の真上に第３の毛分け具１４を挿入した。
【００５３】
初めに第１の毛分け具１２を矢印Ｙ方向に移動させて、１列目のブリッスル群と２列目の中白のブリッスル群の矢印Ｙ方向側半分を矢印Ｙ方向に傾斜させ、２列目の中白のブリッスル群の矢印Ｘ方向側半分と、３列目のブリッスル群を植毛機に付設された毛よけ板によって矢印Ｘ方向へ倒して、２列目の中黒の植毛穴に第２のブリッスル束を植毛した。
【００５４】
次いで、第１の毛分け具１２をそのままにして、第２の毛分け具１３を矢印Ｙ方向へ移動させて２列目の第１の毛分け具１２で傾斜させられていないブリッスル群と、３列目の中白のブリッスル群の矢印Ｙ方向側半分を矢印Ｙ方向へ傾斜させ、植毛機に付設された毛よけ板によって３列目の中白のブリッスル群の矢印Ｘ方向側半分と４列目のブリッスル群を矢印Ｘ方向に倒して、３列目の中黒の植毛穴に第２のブリッスル束を植毛した。
【００５５】
最後に、第３の毛分け具１４を矢印Ｙ方向に移動させて、同様にして４列目の中黒の植毛穴に第２のブリッスル束を植毛した。
【００５６】
こうして渡り毛を発生させないで、図８（ｂ）に示したように、ブリッスル束が配列された歯ブラシを得た。この歯ブラシは中黒の位置にある第２のブリッスル束が僅かに突出しているので、第２のブリッスル束により歯茎へのマッサージ効果を高めることができる。
【実施例４】
【００５７】
この実施例では、図６（ｃ）に示したようにブリッスル束が植毛されている歯ブラシを作った。図６（ｃ）で用いられたブラシ柄は実施例３で用いたブラシ柄と同じものであった。
【００５８】
図６（ｃ）に示した歯ブラシを作るのに、初め第１の植毛機を用いて従来法に従い中白の植毛穴のすべてに第１のブリッスル束を植毛し、次いで第２の植毛機により中黒の植毛穴に第２のブリッスル束を植毛した。
【００５９】
第１のブリッスル束としては太さ０．１５ｍｍ、長さ９ｍｍのブリッスルを３２本集めたものを用い、第２のブリッスル束としては太さ０．２ｍｍ、長さ１０ｍｍのブリッスルを１８本集めたものを用いた。
【００６０】
第２の植毛機では、図８（ｃ）に示したように、右から２列目の植毛穴に沿って第１の毛分け具１２を挿入し、右から３列目の植毛穴に沿って第２の毛分け具１３を挿入し、右から４列目の植毛穴に沿って第３の毛分け具１４を挿入し、右から５列目の植毛穴の外がわに第４の毛分け具１５を付設した。
【００６１】
初めに、毛分け具を移動させないで、右から１列目の中黒の植毛穴に第２のブリッスル束を植毛した。次いで、第１の毛分け具１２を矢印Ｙ方向に移動させて、１列目のブリッスル群と、２列目の中白のブリッスル群の矢印Ｙ方向側半分を矢印Ｙ方向に傾斜させ、２列目の中白のブリッスル群の矢印Ｘ方向側半分と３列目のブリッスル群を植毛機に付設された毛よけ板により矢印Ｘ方向に倒して、２列目の中黒の植毛穴に第２のブリッスル束を植毛した。
【００６２】
その後は第２の毛分け具１３を矢印Ｙ方向に移動させ、同様にして、右から３列目の中黒の植毛穴に第２のブリッスル束を植毛した。次いで、同様にして第３の毛分け具１４を矢印Ｙ方向に移動させ、右から４列目の中黒の植毛穴に第２のブリッスル束を植毛した。最後に第４の毛分け具１５を矢印Ｙ方向に移動させ、５列目の中黒の植毛穴に第２のブリッスル束を植毛した。こうして渡り毛を生じさせないで、２種類のブリッスル束が混在している歯ブラシを得た。
【００６３】
こうして得られた歯ブラシは２種類のブリッスル束が入り交じって混在しているので、それらブリッスルの高さを変えることによって、歯茎へのマッサージ効果を高めることができる。また歯茎と歯との間の隙間や歯と歯との間へ長いブリッスルが入り込み易いので、歯垢除去の効果にすぐれている。
【図面の簡単な説明】
【００６４】
【図１】従来の植毛機の一部断面模型図。
【図２】従来の植毛機の一部断面模型図。
【図３】従来の植毛機の或る段階における一部切欠斜視図。
【図４】従来の植毛機の別の段階における一部切欠斜視図。
【図５】この発明方法を実施する植毛機の一部切欠平面図。
【図６】この発明方法により作られた歯ブラシの一部切欠正面図。
【図７】この発明方法を実施する植毛機の一部切欠平面図。
【図８】この発明方法を示した説明図。
【符号の説明】
【００６５】
１                          ブラシ柄
２                          植毛穴
３                          ブリッスル束
４                          ブリッスル束の打ち込み具
５                          ノズル
６                          押し込み針
７                          楔
８                          植毛機のアーム
９                          毛よけ板
１０                        台
１１                        固定具
１２                        第１の毛分け具
１３                        第２の毛分け具
１４                        第３の毛分け具
１５                        第４の毛分け具
Ａ、Ｂ、Ｃ、Ｄ、Ｅ          植毛穴の列
Ｐ、Ｑ、Ｒ、Ｓ              植毛穴
Ｘ、Ｙ                      毛分け具の移動方向
【図１】
2008104552.tif 000003
【図２】
2008104552.tif 000004
【図３】
2008104552.tif 000005
【図４】
2008104552.tif 000006
【図５】
2008104552.tif 000007
【図６】
2008104552.tif 000008
【図７】
2008104552.tif 000009
【図８】
2008104552.tif 000010